(57)【特許請求の範囲】
【請求項１】
全輝度又は全輝度に近い輝度に達するのにウオームアップ時間を必要とする光源を有し、初期ウオームアップが実施された後、該光源からの実質的な光強度を維持したまま迅速なオン・オフ制御が可能な高輝度照明器具であって、
取付部材と、
該取付部材に取付けられた高強度光源と、
該取付部材に取付けられており、該光源からの光を該照明器具の外部へ導くための開口を有する反射器と、
該反射器に枢動自在に取付けられたフード状のカバー部材とから成り、
該フード状のカバー部材は、前記反射器の前面から全体的に離脱する第１位置と、該反射器の前記開口に近接し該開口の実質的に全体を覆って遮蔽する第２位置との間で枢動自在であり、該カバー部材は、前記第２位置へ枢動されたとき、前記反射器の前記開口とほぼ整合するように配置された窓を有しており、該窓には、不透明な部材、制御自在のシャッター部材、色付きフィルタ部材及びゲルフィルタ部材のうちの少くとも１つが挿入されていることを特徴とする照明器具。
【請求項２】
前記光源は、高輝度アークランプである請求項１に記載の照明器具。
【請求項３】
前記反射器は、１つ以上の回転表面を有する対称形である請求項１に記載の照明器具。
【請求項４】
前記反射器は、ほぼ1ft（30.48cm）以上の最大直径を有する請求項１に記載の照明器具。
【請求項５】
前記反射器にピボットブラケットが取付けられており、前記カバー部材は、該ピボットブラケットを介して該反射器に枢動自在に取付けられている請求項１に記載の照明器具。
【請求項６】
前記カバー部材の内側面は熱を吸収し、外側面は熱を放射する特性を有する請求項１に記載の照明器具。
【請求項７】
前記反射器は、熱を放射する特性を有する外側面を有する請求項１に記載の照明器具。
【請求項８】
前記反射器は、前記熱源からの熱の伝達を促進するように熱伝導性である請求項１に記載の照明器具。
【請求項９】
前記カバー部材は、前記熱源からの熱の伝達を促進するための熱伝導性壁を有する請求項１に記載の照明器具。
【請求項１０】
前記カバー部材が前記第２位置にもたらされたとき、該カバー部材と前記反射器の間に熱を逃がすための間隙が画定される構成とされている請求項１に記載の照明器具。
【請求項１１】
前記間隙は、該照明器具の頂部又は頂部近くに画定される構成とされている請求項10に記載の照明器具。
【請求項１２】
前記カバー部材は、前記第１位置にもたらされたとき、前記光源からの光の上向きの投射を防止するために前記反射器の頂部から延長したバイザーとして機能する寸法及び形状を有している請求項１に記載の照明器具。
【請求項１３】
ウオームアップ時間を必要とする高輝度、高電力の放電ランプと、
該放電ランプを囲い、外側面と反射性内側面を有し、該放電ランプに比して比較的大きい表面積を有する比較的薄い壁と、該反射性内側面への開口を覆うレンズと、取付部材に取り付けるための連結部材とを備えた最大直径1ft（30.48cm）以上の反射器と、
該反射器に枢動自在に取り付けられたフード状のカバー部材とから成り、
該フード状のカバー部材は、前記反射器の前記開口から全体的に離脱する第１位置と、該反射器の前記開口に近接し該開口及びレンズを覆う第２位置との間で枢動自在であり、該フード状のカバー部材は、該第１位置へ枢動されたときは、該反射器の該開口及びレンズの実質的に全部を開放することができ、前記第２位置へ枢動されたときは、該反射器の前記開口及びレンズを完全に遮蔽することができる寸法及び形状を有しており、
該カバー部材は、前記ランプに比して比較的大きい表面積を有しており、該反射器の開口及びレンズを完全に遮蔽したとき、大きな容積の空間を画定し、該空間の該容積の大きさは、該ランプが全輝度に維持されていても、該反射器の開口が該カバー部材によって完全に遮蔽されたとき、該反射器とカバー部材の表面積と該空間とが有害な量の発熱を防止するのに十分な大きさであることを特徴とする照明器具。
【請求項１４】
前記反射器は、１つ以上の回転表面を有する対称形である請求項13に記載の照明器具。
【請求項１５】
前記カバー部材の内側面は熱を吸収し、外側面は熱を放射する特性を有する請求項13に記載の照明器具。
【請求項１６】
前記反射器は、熱を放射する特性を有する外側面を有する請求項13に記載の照明器具。
【請求項１７】
前記反射器は、前記ランプからの熱の伝達を促進するように熱伝導性である請求項13に記載の照明器具。
【請求項１８】
前記反射器は、前記ランプからの熱の伝達を促進するための熱伝導性壁を有することを特徴とする請求項13に記載の照明器具。
【請求項１９】
前記カバー部材が前記開口を遮蔽しているとき、該カバー部材と前記反射器の間に熱を逃がすための間隙が画定される構成とされていることを特徴とする請求項13に記載の照明器具。
【請求項２０】
前記間隙は、該照明器具の頂部又は頂部近くに画定される構成とされている請求項13に記載の照明器具。
【請求項２１】
前記カバー部材は、該カバー部材が前記第２位置に置かれたとき、前記反射器の前記開口とほぼ整合するように配置された窓を有しており、該窓には、不透明な部材、制御自在のシャッター部材、色付きフィルタ部材及びゲルフィルタ部材の内の少くとも１つが挿入されている請求項13に記載の照明器具。
【請求項２２】
前記カバー部材の寸法及び形状は、前記反射器の開口及びレンズの大部分又は全部を開放する位置へ枢動されたとき、前記光源からの光の上向きの投射を防止するために前記反射器の頂部から延長したバイザーとして機能するように定められていることを特徴とする請求の範囲第13項に記載の照明器具。
【請求項２３】
前記カバー部材は、反射性の内側面部分を有する請求項22項に記載の照明器具。
【発明の詳細な説明】
【０００１】
【発明の属する技術分野】
本発明は、制御可能な遮光手段を備えた照明器具に関する。
【０００２】
【従来の技術】
大抵の在来型高強度放電（HID）ランプは、瞬時には全輝度及び全強度に点灯させることができないことは斯界において周知である。又、この種のランプは、消灯した後直ぐに全強度に再点灯させることができず、一般に、再点弧又はウオームアップの時間を必要とする。
【０００３】
白熱灯には、再点弧の問題はない。瞬間再点弧型アークランプと称される特殊なタイプのアークランプがあるが、それらは非常に高価である。しかも、瞬間再点弧型アークランプは、消灯後直ぐに点灯するが、数分間以上消灯されていた後再点灯させると、好ましい又は必要な温度又は色とは異なる温度又は色で再点灯することができる。
【０００４】
HIDランプは、その出力のタイプ（色、強度等）が多く、経済性的であるために、多くの用途にとって望ましい。それは、広い区域に亙って投光するために光を制御し集中させなければならない広域照明において特に当てはまる。
【０００５】
再点弧の問題は、上述したように、斯界において広く認識されている。この問題を克服し、比較的迅速なオン・オフ（点灯・消灯）制御を可能にするためのいろいろな試みが、従来からなされてきた。そのような試みの１つは、アークランプへの電流を減少させるために減光回路を用いることである。しかしながら、この方法は、光の輝度又は強度を減少させるが、光を消すわけではないので、完全な暗黒は得られない。
【０００６】
又、光は全電力（パワー）のままに残すが、光を遮蔽する試みもなされている。しかし、この方法の主要な難点は、高強度の光を遮蔽したときに熱蓄積（従って、温度上昇）が生じることと、完全遮光を達成するために光を密閉することが困難なことである。
【０００７】
広域に亙って効率的な制御された集中ビームを得るための経済的な有効な選択の１つは、回転表面によって形成された対称反射器（以下、「ボウル形又は球形反射器」とも称する）である。この目的のために溝漕形又はその他の形状の反射器も使用されることがあるが、大抵の場合、ハウジングと幾つかの支持部材、又は構造的氏自体のための囲い部材を必要とする。従って、その造りは、反射機能を果たすとともに、追加の枠組やハウジングを必要とせず、レンズ等をも支持することができる対称反射器より複雑であり、高価である。
【０００８】
そのような照明器具から単純に光を遮蔽しようとすると、相当な困難に直面する。それを満足に達成するための構造も方法も知られていない。
それらの問題の幾つかを挙げると、以下の通りである。
1.構造的強度の問題−−対称反射器は、一般に、アルミニウムのような比較的薄い金属板で形成されているので、大きな重量又は応力に耐えられない。
2.光の密封−−ランプの前方で移動させることができ、全電力（パワー）点灯中のランプから出射されるすべての光を効果的に密封することができる光ブロック（遮光部材）を配置することが困難である。
3.熱−−ランプを部分的にでも閉鎖する構造とした場合は、発熱（温度上昇）ということが、ランプを遮蔽する構造体及びランプ自体のみならず、反射器及びその取付部材の構造的完全性にとって問題となる。ランプの近傍で有意の発熱があると、ランプの性能に影響があり、ランプが点灯することができるかどうかということさえ危うくされることがある。
4.重量−−構造的強度の問題と共に、ランプを遮蔽するための構造体の付加重量が問題となる。
5.複雑さ−−大抵の照明用途には多数の照明器具のしようを伴うので、構造体が複雑であることが、安定した作動と長い有効寿命を実現する上で問題となる。
オン・オフ器具を得ようとする際に直面するその他の問題としては、漏光又は眩光制御等のなんらかの光制御を可能にすることや、例えば異なる色の発出、ストロボ効果及びその他の劇場型照明効果等の特殊効果を創出することができる等の融通性の問題がある。
従って、斯界には、球形反射器と再点弧の問題を有するHIDランプを用いるが、迅速に光出力を完全に遮蔽したり、遮蔽を解除したりすることができる照明器具を求める要望がある。
【０００９】
【発明が解決しようとする課題】
従って、本発明の目的は、上述した従来技術の問題点や欠点を解決又は改善する制御可能な光ブロックを備えた照明器具（以下、単に「器具」又は「装置」とも称する）を提供することである。
【００１０】
本発明の他の目的は、照明器具からの光出力を指令に従って完全に遮蔽することができる上記照明器具を提供することである。
【００１１】
本発明の他の目的は、照明器具からの光出力を指令に従って直ちに遮蔽することができる上記照明器具を提供することである。
【００１２】
本発明の他の目的は、照明器具からの光を、有害な発熱（温度上昇）の危険性なしに、連続して何時間でも遮蔽することができる上記照明器具を提供することである。
【００１３】
本発明の他の目的は、運動部品の数が最少限であり、構造的にも複雑でない上記照明器具を提供することである。
【００１４】
本発明の他の目的は、特殊な光制御や、特殊な照明効果等を得るための融通性を有する上記照明器具を提供することである。
【００１５】
本発明は、制御可能な光ブロックを備えた照明器具にある。本発明の照明器具は、取付構造体に取付けられた球形反射器とHIDランプから成り、球形反射器及びHIDランプに対して不遮蔽位置と遮蔽位置との間で移動自在のカバー部材（以下、単に「カバー」又は「フード」とも称する）即ち光ブロック（以下、単に「ブロック」とも称する）（光遮蔽部材即ち遮光部材）を有する。この照明器具は、カバーを、有害なレベルにまでの温度上昇を伴うことなしに、無制限に何時間でも遮蔽位置即ち遮光位置に保持しておくことができるように構成されている。
【００１６】
随意選択として、この装置には、調光（光制御）機能及び特殊効果照明機能をもたせることもできる。
【００１７】
本発明の上記及びその他の目的並びに特徴、及びそれらを達成する態様は、以下に添付図を参照して述べる本発明の実施形態の説明から一層明かになろう。
【００１８】
【発明の実施の形態】
以下に、本発明の理解を明確にするために、本発明の好ましい実施形態を説明する。
図１は、各々、横アーム14又は照明器具を支持することができるその他の支持構造体に連結することができる関節部11及び取付部材12を備えた２つの照明器具10を示す。取付部材12の後部に反射器16が取付けられている。この実施形態では、取付部材12には、反射器16の後部の孔を貫通して取付部材12に嵌められた、ランプ18（図８参照）のためのコンセントも設けられている。ランプ18を反射器16の内側に囲うために反射器16の開口22を覆ってレンズ20が装着されている。反射器16は、反射性の内表面を有しており、その表面の正確な反射特性は、必要に応じて変更することができる。
【００１９】
以上に説明したものは、実際の競技場即ち目標区域から相当距離離れた高架位置に多数の照明器具が設置されるスポーツ競技場100（例えば、図２参照）や広い区域に一般に用いられている照明器具である。ランプ18は、例えば、高電力（パワー）、高輝度アークランプであってよい。具体例としては、1000〜1500ワットの金属ハロゲン化物アークランプが挙げられるが、その他のHIDランプも使用可能である。
【００２０】
ただし、好ましい実施形態では、ランプ18は電力を印加されたときウオームアップ時間を必要とする特性を有するものである。ウオームアップ時間は、ランプが全輝度の、又は全輝度に近い光を発出するまでの数秒から、ものによっては数分もの時間がかかる。周知のように、通電された直後には全輝度に達しないのが、この種のランプの特性である。又、この種のランプは、初期ウオームアップ後全電力、全輝度での作動に達した後でも、ランプから電力が除去されると（相当な電力低下が生じた場合を含めて）、消灯し、再度全電力が印加されたとき、再度のウオームアップ又は再点弧の時間を必要とする。従って、この種のランプは、ランプへの電力を制御することによって瞬時に、あるいは、迅速にさえオン・オフすることができず、全輝度又はそれにに近い輝度を瞬時に、あるいは、迅速に得ることができない。
【００２１】
従って、図１にみられるように、反射器16にカバー部材又はフード26を取付ける。カバー部材又はフード26は、図１の右側の器具10に対してのように第１即ち不遮蔽位置に置かれたときは、レンズ20及び反射器16への開口22を遮蔽しないように（図７及び９をも参照）形状及び寸法を定められている。従って、この状態では、器具10からの実質的に全光出力を野外競技場又は目標区域の照射に利用することができる。後述するように、好ましい実施形態では、カバー部材26は、器具10からの調光（光制御）を助成することができる反射器の延長部又はバイザー（遮光板）として機能するという追加の特徴を有する。例えば、カバー部材26は、それがなければ器具10から上方及び外方へ投光されて目標区域外の漏光となってしまい利用されない光、あるいは、眩光やその他の光公害を惹起する光を遮蔽する機能を果たすことができる。アリーナでは、アリーナのフロアの上に懸架されたビデオスクリーンやスコアボードに光を投射させるのは有害である。
【００２２】
カバー部材26は、更に、その内側面27の一部又は全部を反射性にするように適当に構成しておけば、さもなくば利用されない、あるいは、有害な光を少くとも一部目標区域へ向け直す機能を果たすことができる。これは、器具10が高架位置に設置され、目標区域に対して水平より下に傾けられているときに特に当てはまる。
【００２３】
図１の左側に示された器具10に関連して説明すると、この器具のカバー部材26は、レンズ20及び反射器16への開口22を完全に覆う第２即ち遮蔽位置に置かれた状態にあるものとして示されている（図８及び10をも参照）。カバー部材26は、図１の右側に示された器具10に関連して示されている第１位置（不遮蔽位置）から図１の左側に関連して示されている第２位置（遮蔽位置）へ反射器16に対して枢動される。後述するように、カバー部材26のこの枢動は、例えば電気・機械作動器（例えば、12ボルト直流歯車モータ114（図17、18をも参照））によって遠隔操作により所望に応じて制御することができる。作動器114は、それとカバー部材26の間に連結された制御アーム30,31を移動させる。作動器114は、配線33によって遠隔制御器に接続するか、あるいは、例えば無線や赤外線遠隔制御器のようなその他の信号通信装置に接続する。あるいは別法として、別のタイプの作動器を用いることもできる。例えば、電気モータの代わりに、エレクトロメトリカル（electrometrical）リニア作動器を用いることもできる。その一例は、固定リミットスイッチ（負荷容量25lb（11.25kg））を備えたエレクトラック（Electrak）１  24ボルト直流S24−09A4−02である。
【００２４】
図17、18は、作動器（歯車モータ）114が支持プレート34（3/16in（4.7625mm）厚のアルミニウム、図１をも参照）に取付けられている態様を示す。支持プレート34は、取付バー35（２×２×3/16in（50.8×50.8×4.7625mm）のアルミニウム製山形部材）に取付けられ、後者は、ボルト、ねじ、溶接又はその他の方法によって取付部材12に取付けられている。カバー部材26には、該カバー部材26が第２位置から第１位置へ枢動するのを助成する釣り合い錘りとして機能する平衡バー36が連結されている。
【００２５】
更に、ができる。カバー部材26の内側面27の全部又は一部及び外側面38の全部又は一部を黒色に平塗りすることができる。カバー部材26と反射器16は、いずれも、熱伝達を迅速にするために熱伝導性の材料で形成する。好ましい実施例では、両方共、アルミニウムの薄板（0.020in（0.508mm）厚のアルミニウム3000）で形成する。アルミニウムは良好な熱伝導体であるが、カバー部材26の内外両面を黒色に平塗りし、反射器16の外側面を黒色に平塗りしたことにより、カバー部材26の内側面によって吸収された熱をカバー部材26の外側面へ伝導し放射させることができる。反射器16の外側面へ伝導された熱も放射される。熱は、反射器16内へ反射し返されることはない。
【００２６】
更に、後述するように、カバー部材26が第２即ち遮蔽位置に置かれているときは（図８参照）、その円形形状が、カバー部材26と反射器16のレンズ20との間に大きな容積の空間を残す。器具10の頂部には、カバー部材26と反射器16の間に間隙又は空間39が残されるので熱を間隙39を通して上昇させて逃がす煙突効果により、器具10からの光出力を遮蔽しているカバー部材26によって惹起される発熱が器具10に悪影響を及ぼすことが防止される。反射器16及びカバー部材26の表面積が比較的大きいことと、カバー部材26と反射器16のレンズ20との間に空間の容積が比較的大きいこととが相俟って、カバー部材26が長時間完全に閉鎖されており、ランプ18が全輝度で作動されていても、器具10によって発生される熱を処理することができる。発熱による熱蓄積は、器具10又はランプ18にとって有害とならない僅か数％の温度上昇に制限されることが認められた。
【００２７】
図３〜７は、カバー部材26の構造を詳細に示しているが、図示以外の形状、形態及び寸法を採用することも可能である。カバーパネル40は、カバー部材26の多部分を占め、中央平坦部分42と、平坦な両側側部パネル44,46と、平坦な両側側部部片48,50（図５、６）を含む。部片48,50は、後方ピボット延長部52,54（図４に後方ピボット延長部52だけが示されている）を有し、各部片48,50は、カバー部材26の両側にピボット点を画定するピボット孔84を有する。
【００２８】
カバーパネル40は、その形状及び形態により図１に示される第１位置では調光反射器の延長部又はバイザーとして機能することができる。
【００２９】
カバー部材26は、又、中央後部パネル60、側部カバーパネル62,64を含み、それらが協同して、カバー26が第２位置に置かれたとき、レンズ20及び反射器16への開口22を完全に遮蔽する基本的フード又はカバー構造体を完成する。
【００３０】
図にみられるように、カバー部材26の頂部中央には、特殊な照明目的又は効果のための窓66が形成されている。窓66の頂部に実質的に長方形又は正方形の平面状フレームを設けるために、カバーパネル40及び、又は、中央後部パネル60からノックアウト前部パネル70及びノックアウト側部パネル72,74が上向きに突設され、長方形の平面状フレーム76を形成している。図３〜５に示されるように、フレーム76には着脱自在のカバープレート78が取り付けられている。カバープレート78は、図に示されるようにねじ77又はその他の構造又は方法によってフレーム76に着脱自在に取り付けることができる。
【００３１】
カバー部材26の各構成部片は、熱伝導性のアルミニウム板金を適当な形状に付形し、次いで、図３〜６に点線によって示されるように、各部片の隣接縁を重ね合わせて下方へ折曲げ、互いに把持又は掛止させることによって、組立てれて相互に結合される。図示の方法は、縁曲げ・リベット構造とも称されることがあり、各部片の折曲げられた縁は、シリコーン等で密封する。別法として、各部片を継目（シーム）溶接又は接合によって結合してもよく、その他の方法も可能である。
【００３２】
それらの部片のすべての継手部及びコーナーは、密封材（好ましい実施例では600゜F（315.5℃）の温度に耐える密封材）で光密に（光を漏らさないように）密封される。そのような密封材の一例は、シリコーンである。フード26は600゜F（315.5℃）に達することはないが、その構成部片の素材は、すべて600゜F（315.5℃）の温度に耐えるもでなければならない。カバー部材即ちフード26は、光沢のない黒色に平塗りする。
【００３３】
好ましい実施例では、カバー部材26は、幅約241in（60.96cm）、奥行24.7in（62.738cm）、高さ17.2in（43.688cm）とする。反射器16は、奥行10.5in（26.67cm）とし、開口部22の直径を23in（58.42cm）とする。
【００３４】
もちろん、カバー部材26の材料及び形態はいろいろなものとすることができ、いろいろな部材を溶着又は他の方で結合し、多部片構造とすることができる。又、カバー部材26は、図示のものより少ない部片で構成してもよく、単一部片で構成することもできる。
【００３５】
図４にみられるように、後方ピボット延長部52,54には、それらと同様の形状のピボット補強プレート80が重ねられ固定されている。プレート80は、0.080in（2.032mm）厚のアルミニウム（3000）で形成され、４つの穴82,84,86,87を有している。穴82は、後述するように制御アーム31の外端を連結するための連結部材（ピボットピン96）を受容する。穴84は、カバー部材26の穴84と整合しており、カバー部材26の枢動（ピボット）を可能にするためにピボットピン85（図11）を受容する。穴86,87は、ボルト、ねじ又はその他の部材による平衡バー36（図11参照）の取付けを可能にする。その他の取付け方法も可能である。
【００３６】
図７〜12は、反射器16に対するカバー部材26の作動を詳細に示す。図７及び９は、カバー部材26が第１即ち不遮蔽位置にあるところを示す。この位置では、下方に延長した側部側部部片48,50を含むカバーパネル40が、さもなくば器具10から上方及び外方へ出射される光を制御する働きをする。さもないと、レンズ20及び反射器16への開口22が開放され、器具10からの光出力を投射させる。ここで、窓66は、上方にあって器具10からの光出力をを邪魔しない位置にあることに留意されたい。93は、カバー部材26の回転を制限するためのフェールセーフストッパーである。カバー部材26が図７でみて時計回り方向に回転すると、ストッパー93が取付部材12に当接するので、カバー部材26はそれ以上取付部材12の方へ回転することができない。かくして、ストッパー93は、カバー部材26の最大開放位置を画定する。
【００３７】
図７から分かるように、ピボットピン85（図11）のピボット点は、反射器16の開口22を画定する平面Ｙより約41.8in（45.72mm）後方にあり、器具10の上半分と下半分を分ける平面より約2.7in（6.58mm）上に位置している。更に、カバー部材26のピボット（枢動）の全範囲は104.5゜であることことも図に示されている。カバー部材26は、この偏心回転により光源（ランプ18）全体を覆うことができ、不遮蔽位置に戻されたときは関節部11の上方に位置する。
【００３８】
図８は参照して説明すると、反射器16の開口22の下縁の点95が、カバー部材26の第２即ち遮蔽位置への反時計回り方向の下方枢動の限界を画定するストッパーの役割を果たす。カバー部材26は、回転してカバー部材26の内側輪郭と合致する遮蔽部材98内へ嵌入し、カバー部材26の内側面から反射して後方へ投射される光を遮蔽する。遮蔽部材98は、0.030in（0.762mm）厚のアルミニウム（3000）板と、そのアルミニウム板の前方に3/4in（19.05mm）延長した直径40in（101.6cm）の耐熱シリコーン材で形成されている。このシリコーン材は、カバー部材26が閉じられたとき、ガスケットのようにカバー部材26の衝撃を緩衝しカバー部材26を密封する。ただし、カバー部材26が第２位置即ち遮蔽（閉鎖）位置にあるときは、窓66が反射器16の開口22のほぼ真ん前に整合し、開口22の中心に心合していることに留意されたい。
【００３９】
図９及び10は、器具10の正面図であり、カバー部材26がその第２即ち遮蔽位置において反射器17への開口22を完全に遮蔽する態様を示し、又、カバー部材26が遮蔽位置にもたらされたとき窓66が反射器16への開口22に心合する態様を示す。
【００４０】
図11、12は、反射器16へのカバー部材26の取付態様の詳細を示す。反射器16にボルト（図示せず）又はその他の手段又は方法によって固定されたブラケット90が、反射器16の周縁から外方に突出し（図12参照）、開口22のところで反射器16の側部にほぼ併行に曲げられた屈曲部分を有する。ピボットピン85は、ブラケット90及びカバー部材26に穿設された整合穴84に挿通されている。この構成は、器具10の両側に共通である。従って、反射器16自体が、基本的にカバー部材26を支持するので、カバー部材26を支持するための追加のフレーム又は構造体を必要としない。その主たる理由は、カバー部材26がそれ自体軽量の金属材で製造されているということである。カバー部材26の円滑な枢動を助成するためにナイロンブッシュや、軸受やワッシャを用いることができる。
【００４１】
図１、７、８、13、17及び18は、モータ114の回転車軸115が、支持プレート34を貫通して第１制御アーム30の一端に連結されている態様を示す。この連結は、ローラピン連結（図17）とすることができる。制御アーム30を車軸115に圧接して保持するために車軸115の端部にねじ又はボルトを螺入させることができる。車軸115と制御アーム30との連結手段としては、溶接等の他の方法を用いることもできる。
第２制御アーム31は、一端において第１制御アーム30の他端にピボットピン94によって枢動自在に連結され、他端においてカバー部材26に、前述したプレート80の穴82に挿通されたピボットピン96（図８）によって枢動自在に連結される。好ましい実施形態においては、図７、８にみられるように、第２制御アーム31は、僅かに屈曲させて平衡バー36の下を通して反射器16とカバー部材26の間に通し、カバー部材26の内側でピン96に枢動自在に連結する。ばね37（図13参照）は、カバー部材26がその閉鎖位置（遮蔽位置）又は開放位置（不遮蔽位置）に達したときショックを和らげる働きをする。
【００４２】
図７と８を比較することによって分かるように、モータ114が車軸115を図７、８でみて時計回り方向に回転させると、カバー部材26がその第１即ち不遮蔽位置（図７）へ回転される。反対に、モータ114が車軸115を反時計回り方向に回転させると、カバー部材26がその第２即ち遮蔽位置（図８）へ回転される。モータ114を適正に作動させることによって、カバー部材26を所望に応じてその第１位置と第２位置の間の任意の中間位置へ移動させることができる。
【００４３】
好ましい実施例においては、モータ114は、12ボルト直流歯車モータ（デイトン47835）とし、プレート34に固定する。12ボルト直流歯車モータは、図16に示されるように12ボルトの直流電源で作動される。各照明器具10ごとにモータ114を遠隔操作するために適当な電源と制御回路を用いることができる。別法として、油圧モーター、空気圧モータ及び電気モータを含むその他のタイプの作動器を用いることができる。作動器114の運動をカバー部材26の枢動運動として伝達するための機構の構成に関しても変更することができる。
【００４４】
図16は、本発明の制御回路のブロック図である。図16に示された制御回路は、作動器として直流モータを使用する実施例を示す。この制御回路のうち点線102で囲まれた部分は、各照明器具10にとって典型的なものである。他の照明器具10もこの回路に接続することができることを示すために多数のヒューズセット12が図示されている。典型的なアリーナ照明設備は、100個以上の照明器具10を備えている。そのような照明設備の照明器具10のカバー部材26の作動器114に常時電力を供給するために40アンペア12ボルトの直流電池104（ダイナスチ  GC  12400B）が用いられる。この電池を必要に応じて充電するために２アンペア12ボルトの電流電池充電器（ダイナスチ  GRC12200CDM、図示せず）が用いられる。
【００４５】
操作者は、カバー部材26を閉鎖すべきときは、既存の制御盤を通して命令を出す。それは、277ボルトの交流回路106をオンにすることによって行われる。回路106は、SPST（単極単投）常開コイルリレー108（スクエア  Ｄ、8501C06V04、277ボルトコイル、30アンペア）に接続されている。
【００４６】
交流回路106がオンにされると、リレー108のコイルが付勢されてその接点が閉成され、それによって、電池104から12ボルトの電流を供給してDPDT（二極双投）リレー110（スクエア  Ｄ、8501CD06V12、12ボルトコイル、30アンペア）のコイルを付勢する。リレー108の接点が閉成されると、遅延オン・タイマー112（NCC、TIK−10−466）がカウントを開始する。
【００４７】
リレー110のコイルが付勢されると、12ボルトの電流が12ボルト直流モータ114へ供給され、モータ114が本発明に作動器として作動し、カバー部材26を閉鎖し始める。カバー部材26が図８に示される閉鎖位置に達すると、閉鎖リミットスイッチ116（デイトン  6X2992）が部材に接触して回路を切り、モータ114を停止させる。リミットスイッチ116が部材に接触せず、タイマー112が５秒カウントすると、照明器具は消灯される。もちろん、この５秒というカウント時間は調節することができる。このようにタイマー112が５秒までカウントすると、SPST常閉コイルリレー118（スクエア  Ｄ、8501CDD8V12、常閉12ボルト直流コイル、30アンペア）に電力が供給される。それによって、照明器具の安定器120への回路が切られ、照明器具が消灯される。リミットスイッチ116は常閉スイッチであり、その接点は、タイマー112及びリレー118に直列に結線されている。従って、タイマー112とリミットスイッチ116のどちらか一方が正しくないと、リレー118へ電力が供給されない。タイマー112にとって「正しくない」というのは、タイマー112がカウントを始めてから５秒が経過していないことであり、リミットスイッチ116にとって「正しくない」というのは、リミットスイッチ116が何物にも接触していないことである。
【００４８】
操作者が制御盤を通してカバー部材26を開放せよという命令を出すと、277ボルトの交流回路106がオフにされ、それによってリレー108のコイルが消勢され、リレー110のコイルを付勢している12ボルトの電流を除去するとともに、タイマー112をリセットする。リレー110のコイルが消勢されると、モータ114は、リレー110の定位接点からの12ボルト電流によって付勢され、カバー部材26を開放し始める。カバー部材26が図７に示される開放位置に達すると、開放リミットスイッチ122（デイトン  6X2992）が部材に接触して回路を切り、モータ114を停止させる。
【００４９】
この制御回路は、電池104の正端子と負端子に１対の40アンペアヒューズ124（ヒューズトロン  FLNR40、時間遅延  クラスRK5）を有している。図16に示されるように、この制御回路には１組の10アンペアヒューズ124（MDA）が配置されている。これらのヒューズは、各照明器具へ延長している個々の電線及び作動装置を照明器具の手前で保護するのに用いられる。
【００５０】
図には示されていないが、各モータ114のための遅延オフ・タイマーとして、タイマー112と同様の第２タイマーを用いることもできる。そのような第２タイマー（遅延オフ・タイマー）は、モータ114へ５秒間だけ電流を供給する。従って、上記リミットスイッチがモータ114をオフにしないことがあっても、この第２タイマーがモータ114をオフにするので、モータが電力を無駄に消費することがないようにする。
【００５１】
図２は、スポーツアリーナ100と、アリーナに設置された複数の照明器具10の一例を概略的に示す。これらの器具10は、アリーナの上部構造、あるいは他の何らかの高架又は懸架構造から支持された横アーム（図１に示される横アーム14参照）に取付けられる。もちろん、本発明は、例えば劇場や、その他の広域照明等のいろいろな用途に適用することができる。
【００５２】
本発明の照明器具10を利用すれば、すべてのランプ18を初期ウオームアップ時間の後全輝度又は全輝度に近い輝度にまで作動させることができる。本発明によれば、カバー部材26をその第２即ち遮蔽位置に置いた状態で、従って、光を目標区域へ投射させることなく、ランプ18を全輝度又は全輝度に近い輝度にまで初期ウオームアップすることができる（その場合、他の光が存在しないとすると、アリーナ全体を実質的に真っ暗に保つことができる）。あるいは、カバー部材26をその第１即ち不遮蔽位置に置いた状態で、ランプ18をウオームアップすることもできる。その場合、リモコンによってランプのウオームアップが行われたならば、すべての照明器具10のカバー部材26を極めて迅速に第２即ち遮蔽位置へ枢動させることによってアリーナを瞬時に暗くするために、すべての照明器具10に信号を送ることができる。本発明の照明器具10の構造は、上述したように熱伝達及び熱処理能力が高いため、ランプ18を全輝度又は全輝度に近い輝度に維持したままカバー部材26を相当長い時間遮蔽位置に置いて置くことができるので、アリーナ全体をほとんど瞬時に暗くすることができ、同様にほとんど瞬時に完全照明状態に戻すことができる。
【００５３】
好ましい実施例では、本発明の作動器は、１、２秒程度で光の完全遮蔽又は遮蔽解除を行うことができる。
【００５４】
本発明によれば、アリーナの完全遮光以外の部分遮光を行うことも可能であることは明らかであろう。例えば、部分照明を行いたい場合、幾つかの選択された照明器具10を遮蔽又は開放することができる。又、アリーナの周りに照射区域を走らせるなどの特殊な照明効果を創出するために異なる照明器具を順次に遮蔽又は開放することも可能である。その他にも、複数の照明器具10をいろいろな態様に制御することができる。
【００５５】
更に、窓66に図１に示されるように不透明なプレートではなくシャッターや、色付きフィルタを用いれば、カバー部材26が遮蔽位置に置かれているときでも、特殊な照明効果を創出することができる。例えば、図15に示されるように窓66に迅速開閉シャッターを設け、それを遠隔操作することにより、照明器具10の全出力を用いることなく、ほぼ瞬時にオン・オフされる照明効果を創出することができる。例えば、中央制御盤からフレーム81に枢着されたシャッターの羽根79を開閉するためにソレノイド83と可動アーム135を用いることができる。あるいは、遠隔操作自在の羽ばたき式カバーや、カメラの絞りシャッター型のシヤッター等を用いることもできる。
【００５６】
更に、色付きフィルタの使用により、全照明を迅速に色付き照明フィルタに切り替えることができる。又、各照明器具10にそれぞれ異なる赤、黄、青、緑のフィルタを使用し、任意の時点でのそれらの赤、黄、青、緑のフィルタの使用割合を選択することによって色のスペクトルを創出することも可能である。本発明によれば、その他のいろいろな特殊照明効果を創出することが可能である。
【００５７】
以上、本発明を実施形態に関連して説明したが、本発明は、ここに例示した実施形態の構造及び形態に限定されるものではなく、本発明の精神及び範囲から逸脱することなく、いろいろな実施形態が可能であり、いろいろな変更及び改変を加えることができることを理解されたい。
【図面の簡単な説明】
【図１】図１は、横アームに取付けられた本発明の好ましい実施例による装置の透視図であり、光ブロック即ちカバー部材が不遮蔽位置にある装置（図の左側に位置する装置）と遮蔽位置にある装置（図の右側に位置する装置）を示す。
【図２】図２は、スポーツアリーナに複数の照明器具を設置した場合の概略図である（それらの照明器具の一部又は全部を図１の照明器具とすることができる）。
【図３】図３は、形成され組立てられた図１及び２の照明器具のためのカバー部材の上からみた平面図である。
【図４】図４は、形成され組立てられたカバー部材の側面図である。
【図５】図５は、形成され組立てられたカバー部材の正面図である。
【図６】図６は、形成され組立てられたカバー部材の背面図である。
【図７】図７は、図１の装置の側面図であり、不遮蔽位置にあるカバー部材を実線で示し、遮蔽位置にあるカバー部材を破線で示す。
【図８】図８は、図８と同様の図であるが、完全遮蔽位置にあるカバー部材を実線で示す。
【図９】図９は、図１の装置の正面図であり、カバー部材が不遮蔽位置にあるところを示す。
【図１０】図10は、図９と同様の図であるが、カバー部材が遮蔽位置にあるところを示すが、カバー部材の長方形の開口を覆うプレートは除去されている。
【図１１】図11は、図７に線11−11で示された部分の拡大図である。
【図１２】図12は、図９に線12−12で示された部分の拡大図である。
【図１３】図13は、図７に線13−13で示された部分の拡大図である。
【図１４】図14は、カバー部材の長方形の開口を覆うのに用いることができることができるプレートの変型例（色付きフィルタ又はゲル物質を有するプレート）の単独拡大図である。
【図１５】図15は、カバー部材の長方形の開口を覆うのに用いることができることができるプレートの変型例（開口を通しての光を選択的に遮蔽するように、又は、光の通過を許すように開放することができるシャッターを有するプレート）の単独拡大透視図である。
【図１６】図16は、本発明の装置のための制御回路の一実施例のブロック図である。
【図１７】図17は、図１の線17−17に沿ってみた拡大立面図である。
【図１８】図18は、図17の線18−18に沿ってみた拡大図である。
【図１９】図19は、図17と同様の部分立面図であるが、図１に示されたものと同様の照明器具のフードを閉鎖するための変型作動器を示す。
【図２０】図20は、図19に線20−20で示された部分の拡大図である。
【図２１】図21は、図19と同様の図であるが、図19がカバーを開放位置にもたらしたときの作動器の態様を示すのに対して、カバーを閉鎖位置にもたらしたときの作動器の態様を示す。
【図１５】
0003651006.tif 000002
【図２】
0003651006.tif 000003
【図２１】
0003651006.tif 000004
【図１】
0003651006.tif 000005
【図１１】
0003651006.tif 000006
【図１２】
0003651006.tif 000007
【図１４】
0003651006.tif 000008
【図４】
0003651006.tif 000009
【図３】
0003651006.tif 000010
【図５】
0003651006.tif 000011
【図１３】
0003651006.tif 000012
【図１７】
0003651006.tif 000013
【図６】
0003651006.tif 000014
【図１８】
0003651006.tif 000015
【図１９】
0003651006.tif 000016
【図２０】
0003651006.tif 000017
【図７】
0003651006.tif 000018
【図８】
0003651006.tif 000019
【図９】
0003651006.tif 000020
【図１０】
0003651006.tif 000021
【図１６】
0003651006.tif 000022